(57)【要約】【課題】誰でも簡単に丁度良いゆで具合のポーチドエッグを調理することができるポーチドエッグ用電子レンジ調理容器を提供する。【解決手段】底面と側面が閉鎖され、上部が開放された外側容器２と、外側容器２の内部に装着される上部が開放された内側容器４であって、外側容器２の上部開口縁２ｃと係合する係合部４ａと、係合部４ａから外側容器２の内部下方に延在し、内側容器４の内外を液体流通可能にする流通孔４ｄを有する懸垂部４ｂと、懸垂部４ｂの下方に接続され、外側容器２の底面２ａから浮き上がった状態でたまごを下から包囲するように保持するエッグポケット部４ｃとを有する内側容器４と、を備えた。【選択図】図６
2011245130.tif 000002
【特許請求の範囲】
【請求項１】
底面と側面が閉鎖され、上部が開放された外側容器と、
前記外側容器の内部に装着される上部が開放された内側容器であって、前記外側容器の上部開口縁と係合する係合部と、前記係合部から前記外側容器の内部下方に延在し、前記内側容器の内外を液体流通可能にする流通孔を有する懸垂部と、前記懸垂部の下方に接続され、前記外側容器の底面から浮き上がった状態でたまごを下から包囲するように保持するエッグポケット部とを有する内側容器と、
を有することを特徴とするポーチドエッグ用電子レンジ調理容器。
【発明の詳細な説明】
【技術分野】
【０００１】
本発明は、電子レンジでポーチドエッグ（半熟たまご）を簡単に調理可能なポーチドエッグ用電子レンジ調理容器に関する。
【背景技術】
【０００２】
白身が緩く固まり、黄身は周辺部を除いてほぼ流動状態になっている半熟たまごは「ポーチドエッグ」と呼ばれ、一つの料理として広く親しまれている。
【０００３】
ポーチドエッグは、一般的には鍋等の調理器具を用いて調理されるが、電子レンジを利用して調理することも行われている。
【０００４】
鍋等の調理器具を用いてポーチドエッグを調理する場合は以下のようにして行う。
【０００５】
鍋等に水とヴィネガーと塩を入れ、沸騰させる。次に、火を弱め、たまごをしずかにお湯の中に割り入れる。たまごはお湯の中に入れられると、直ぐ鍋の底に沈み、白身が白く濁り、拡散を始める。そこで、お箸やフォーク等により、拡散をしようとする白身をかき寄せ、白身が黄身にまとわりつくようにお箸やフォーク等を操作する。しばらく上記お箸やフォークの操作をしていると、お湯が白く濁り、たまごの白身が黄身の周辺部で緩く固まり、半熟状態になってたまご全体が浮き上がる。そこで、玉じゃくし等により、半熟になったたまごをすくい上げ、乾いたフキンで水気をとる。これでポーチドエッグの完成である。
【０００６】
一方、電子レンジを用いてポーチドエッグを調理する場合は以下のようにして行う。
【０００７】
耐熱性の小さなボールかコップ等の容器に水とヴィネガーと塩を入れ、たまごを割り入れ、たまごの黄身の膜にフォーク等で穴を開け、電子レンジで加熱する。たまごの上半分が半熟になったら電子レンジを止め、容器を取り出して容器内でたまごを裏返す。容器を電子レンジに戻し、再び加熱する。裏返されたたまごの上半分が半熟になったら電子レンジから容器を取り出し、容器からたまごを取り出してペーパータオル等にしずかに載せ、水気を切る。これでポーチドエッグの完成である。
【０００８】
本願出願人が知る限り、ポーチドエッグの調理に特化し、誰でもポーチドエッグを簡単に作れるようにした電子レンジ調理容器は存在しなかった。
【先行技術文献】
【特許文献】
【０００９】
【特許文献１】特開２００６−２３０２９５号公報
【発明の概要】
【発明が解決しようとする課題】
【００１０】
しかし、鍋等の調理器具を用いてポーチドエッグを調理する方法では、鍋等に水を沸騰させ、ヴィネガーと塩を入れ、たまごを割り入れた後は拡散をしようとするたまごの白身をお箸やフォーク等でかき寄せ、たまごの白身が黄身にまとわりつくようにしなければならない。また、たまごが半熟状態になって浮き上がると、玉じゃくし等により半熟になったたまごを手早くすくい上げ、乾いたフキンで水気をとらなければならない。
【００１１】
上記の調理方法は、作業が煩雑であり、また適度なゆで具合のポーチドエッグを作るためには経験と熟練の技術を要するものである。
【００１２】
一方電子レンジを用いてポーチドエッグを調理する方法では、耐熱性のボール等に水とヴィネガーと塩とたまごを入れ、電子レンジで加熱し、たまごの上半分が半熟になったらたまごを裏返して再び加熱し、裏返されたたまごの上半分が半熟になったら電子レンジからボール等を取り出し、容器からたまごを取り出しペーパータオル等で水気を切らなければならない。
【００１３】
上記の調理方法も、作業が煩雑であり、また適度なゆで具合のポーチドエッグを得るためには電子レンジによる加熱具合など経験を要するものである。この方法では、調理する間は加熱具合を見るなど、人間が電子レンジに付き添わなければならない。
【００１４】
そこで、本願発明の解決しようとする課題は、誰でも簡単に丁度良いゆで具合のポーチドエッグを調理することができるポーチドエッグ用電子レンジ調理容器を提供することにある。
【課題を解決するための手段】
【００１５】
本発明によるポーチドエッグ用電子レンジ調理容器は、
底面と側面が閉鎖され、上部が開放された外側容器と、
前記外側容器の内部に装着される上部が開放された内側容器であって、前記外側容器の上部開口縁と係合する係合部と、前記係合部から前記外側容器の内部下方に延在し、前記内側容器の内外を液体流通可能にする流通孔を有する懸垂部と、前記懸垂部の下方に接続され、前記外側容器の底面から浮き上がった状態でたまごを下から包囲するように保持するエッグポケット部とを有する内側容器と、を有することを特徴とする。
【００１６】
また、本発明によるポーチドエッグ用電子レンジ調理容器は、前記内側容器を前記外側容器の内部に装着した状態で、前記内側容器と前記外側容器の上部開口を塞ぐ蓋を有するようにすることができる。
【００１７】
前記蓋は、裏返すことにより、内部にたまごを収容できる容器になるようにすることができる。
【発明の効果】
【００１８】
本発明によるポーチドエッグ用電子レンジ調理容器は、底面と側面が閉鎖され上部が開放された外側容器と、前記外側容器の内部に装着される上部が開放された内側容器とを有する。
【００１９】
前記内側容器は、外側容器の上部開口縁と係合する係合部と、前記係合部から前記外側容器の内部下方に延在し、前記内側容器の内外を液体流通可能にする流通孔を有する懸垂部と、前記懸垂部の下方に接続され、外側容器の底面から浮き上がった状態でたまごを下から包囲するように保持するエッグポケット部とを有している。
【００２０】
上記構造により、本発明によるポーチドエッグ用電子レンジ調理容器は、内側容器のエッグポケット部によってたまごを下から包囲するように保持し、内側容器の係合部と懸垂部により、たまごを外側容器の底面から浮き上がった状態で支持することができる。
【００２１】
また、内側容器の懸垂部は内側容器の内外を液体流通可能にする流通孔を有するため、内側容器内部にお湯を流入させることができ、エッグポケット部のたまごの上面をお湯で覆うようにすることができる。
【００２２】
このように、本発明によるポーチドエッグ用電子レンジ調理容器によれば、たまごは内側容器のエッグポケット部によって拡散されることなく保持され、エッグポケット部は外側容器の底面から浮き上がった状態で支持され、たまご全体がお湯の中に浸かった状態で加熱されるようにすることができる。
【００２３】
このため、たまごの白身が拡散することがなく、たまごの外側全体から加熱することができ、外側容器の容量との関係で電子レンジの加熱時間を適宜定めておくことにより、誰でも簡単に丁度良いゆで具合のポーチドエッグを調理することができる。
【００２４】
また、従来のポーチドエッグの調理方法では、たまごの白身が拡散する前に白身を固まらせる必要から、水にヴィネガーと塩を加えるようにしていたが、本願発明によれば、内側容器のエッグポケット部によってたまごを拡散させることなく保持することができるため、水にヴィネガーと塩を加える必要もない。
【図面の簡単な説明】
【００２５】
【図１】本発明の一実施形態によるポーチドエッグ用電子レンジ調理容器の外側容器の縦断面図である。
【図２】本発明の一実施形態によるポーチドエッグ用電子レンジ調理容器の外側容器の斜視図である。
【図３】本発明の一実施形態によるポーチドエッグ用電子レンジ調理容器の内側容器の側面図である。
【図４】本発明の一実施形態によるポーチドエッグ用電子レンジ調理容器の内側容器の平面図である。
【図５】本発明の一実施形態によるポーチドエッグ用電子レンジ調理容器の蓋の側面図である。
【図６】本発明の一実施形態によるポーチドエッグ用電子レンジ調理容器の縦断面図である。
【図７】本発明の一実施形態によるポーチドエッグ用電子レンジ調理容器の使用状態を示した正面図である。
【発明を実施するための形態】
【００２６】
以下、添付図面を参照して、本発明の一実施形態を説明する。
【００２７】
図１は、本発明の一実施形態によるポーチドエッグ用電子レンジ調理容器の外側容器の縦断面図を示している。
【００２８】
図２は、本実施形態の外側容器の斜視図を示している。
【００２９】
図１と図２に示すように、本実施形態のポーチドエッグ用電子レンジ調理容器の外側容器１は好ましくは耐熱性の樹脂からなり、概略椀型の本体部２と把手部３を有している。
【００３０】
本体部２は、底面２ａと側面２ｂとを有し、上部は開放されて開口部になっている。
【００３１】
本体部２の上部開口部の縁、すなわち上部開口縁２ｃは側面２ｂの樹脂壁が折り返されて形成されている。
【００３２】
外側容器１の本体部２の底面２ａには、外側容器１を置いたときに安定するように、高台２ｄが設けられている。
【００３３】
把手部３は、本体部２の上部開口縁２ｃと同一の高さに本体部２と一体的に形成されている。
【００３４】
なお、本実施形態では、外側容器１は把手の付いた椀型の形状を有しているが、本願発明はこれに限られず、外側容器１は底面と側面が閉鎖され、上部が開放された容器であればその形状は任意である。ただし、外側容器１は内部に液体を溜めることができるように底面と側面が連続していなければならない。
【００３５】
把手部３は省略することができ、あるいは任意の形状とすることができる。本体部２の高台２ｄも省略することができ、あるいは任意の形状とすることができる。また、本体部２の上部開口縁２ｃは、後述するように内側容器の係合部と係合できる限り任意の形状とすることができ、本実施形態の形状に限られない。
【００３６】
図３と図４は本実施形態によるポーチドエッグ用電子レンジ調理容器の内側容器４を示している。図３は本実施形態による内側容器４の側面図、図４は本実施形態による内側容器４の平面図を示している。内側容器４は好ましくは耐熱性の樹脂からなる。
【００３７】
内側容器４は図１，２の外側容器１の内部に装着できる形状に形成され、上部が開放されている。
【００３８】
内側容器４は、外側容器１に装着したときに外側容器１の本体部２の上部開口縁２ｃと係合する係合部４ａと、係合部４ａから外側容器１の本体部２の内部下方に延在する懸垂部４ｂと、懸垂部４ｂの下方に接続された半球形のエッグポケット部４ｃとを有している。
【００３９】
係合部４ａは、外側容器１の本体部２の上部開口縁２ｃと同様の樹脂の折り返し部になっており、外側容器１の本体部２の上部開口縁２ｃと係合するように形成されている。
【００４０】
懸垂部４ｂは、係合部４ａから延びた樹脂製の壁体からなり、内側容器４の内外を液体流通可能にする流通孔４ｄを有している。
【００４１】
エッグポケット部４ｃは、懸垂部４ｂの下端部に接続され、たまごを下から受け、たまごを包囲するように保持する形状に形成されている。具体的には、エッグポケット部４ｃは上部が開放した半球形の形状を有している。
【００４２】
本実施形態では、エッグポケット部４ｃはたまご一個分の容積を有しているが、必要に応じてエッグポケット部４ｃの容積を調整することができる。
【００４３】
内側容器４のエッグポケット部４ｃは、内側容器４を外側容器１の内側に装着したときに、係合部４ａと懸垂部４ｂを介して、外側容器１の本体部２の上部開口縁２ｃから懸垂され（吊り下げられ）、底部が外側容器１の底面２ａから浮き上がった状態に形成されている。
【００４４】
係合部４ａと懸垂部４ｂは上記機能、すなわちエッグポケット部４ｃの支持部材としての機能を有する限り、任意の形状あるいは当業者が任意になし得る構造とすることができる。
【００４５】
複数のエッグポケット部４ｃが一体的に形成され、懸垂部４ｂの下端部に接続されているようにしてもよい。
【００４６】
本実施形態の懸垂部４ｂの流通孔４ｄは、縦長のスリット状の形状を有しているが、流通孔４ｄは内側容器４の内外を液体流通可能にすることができれば任意の形状とすることができる。
【００４７】
また、本実施形態ではエッグポケット部４ｃは上部が開放された半球形の形状を有しているが、エッグポケット部４ｃはたまごを下から受けるように保持することができれば任意の形状とすることができる。
【００４８】
本実施形態では、内側容器４は把手部５を有している。内側容器４の把手部５は外側容器１の把手部３に嵌合できる形状とすることが好ましい。内側容器４の把手部５も省略することができる。
【００４９】
図５は本実施形態によるポーチドエッグ用電子レンジ調理容器の蓋の側面図を示している。
【００５０】
本実施形態の蓋６は、全体として椀の蓋の形状を有し、裏返すことにより、内部にたまごを収容できる容器になるように形成されている。
【００５１】
蓋６の上部には裏返したときに安定して置けるように、把手６ａが設けられている。
【００５２】
なお、蓋６は後述するように余熱でたまごを加熱する場合に好都合であるが、本発明の実施の形態により適宜省略することができる。
【００５３】
図６は組み立てられた本実施形態のポーチドエッグ用電子レンジ調理容器１０の縦断面図を示している。
【００５４】
図６に示すように、組み立て時には内側容器４は外側容器１の内部に装着される。内側容器４の係合部４ａは外側容器１の上部開口縁２ｃに係合し、内側容器４のエッグポケット部４ｃは、係合部４ａと懸垂部４ｂとにより、外側容器１の本体部２の底面２ａから浮き上がった状態で支持されている。
【００５５】
蓋６は内側容器４の上部開口縁の内側に係合し、外側容器１と内側容器４の上部開口部を塞ぐように配置される。
【００５６】
次に、本実施形態によるポーチドエッグ用電子レンジ調理容器１０の使用方法、すなわち、ポーチドエッグ用電子レンジ調理容器１０を用いたポーチドエッグの調理方法を説明する。
【００５７】
最初に、内側容器４を外側容器１の内側に装着し、所定量の水を入れる。前記水が入った外側容器１と内側容器４を電子レンジに入れ、水が沸騰するまで加熱する。
【００５８】
次に、蓋６を裏返してたまごの容器として使用し、たまごを蓋６に割り入れて楊枝やフォーク等によりたまごの黄身の膜に小さな孔を開ける。
【００５９】
上記たまごを内側容器４のエッグポケット部４ｃに入れ、内側容器４に蓋６をして、電子レンジで所定時間（たとえば水が１５０ｃｃのときは６００Ｗで３０秒）加熱し、電子レンジからポーチドエッグ用電子レンジ調理容器１０を取り出す。
【００６０】
電子レンジからポーチドエッグ用電子レンジ調理容器１０を取り出した後は、レンジ加熱によって温まったお湯がレンジ加熱後もたまごを温め続け、余熱で放置することによりレンジ加熱直後まだ半生状態のたまごが丁度良いゆで具合に形成される。後は内側容器４を持ち上げ、ポーチドエッグの水切りを行う。水切り後は、内側容器４のエッグポケット部４ｃにポーチドエッグが調理された状態で保持されているので、任意の食器等に移せばよい。
【００６１】
図７は、たまごを加熱中のポーチドエッグ用電子レンジ調理容器１０の正面図を示している。
【００６２】
図７に示すように、たまご１１は内側容器４のエッグポケット部４ｃに入れられると、全体がエッグポケット部４ｃによって下から包囲するように保持され、黄身１１ａが白身１１ｂに取り囲まれた状態でエッグポケット部４ｃに納まる。エッグポケット部４ｃによってたまご１１が保持されるため、お湯に浸されても白身１１ｂが拡散することがない。
【００６３】
加熱中は、たまご１１の下方は沸騰したお湯が存在し、上方は沸騰したお湯によって覆われている。このため、たまご１１は外側全体から加熱される。加熱の間、たまご１１に対して何ら外部から手を加える必要はない。
【００６４】
水の量と電子レンジのワット数によって適宜定められた時間加熱し、必要に応じてそれに加えて余熱で放置することにより、エッグポケット部４ｃの内部に丁度良いゆで具合のポーチドエッグが形成される。
【００６５】
内側容器４を持ち上げれば、水分は流通孔４ｄから流出し、水切りを行うことができる。
【００６６】
なお、お湯の余熱でたまご１１を温め続ける場合は、蓋６によってお湯の上部には保温層が形成され、ポーチドエッグの周囲はお湯に囲まれているため、効率よく余熱を利用して調理することができる。
【００６７】
以上のように、本発明のポーチドエッグ用電子レンジ調理容器によれば、調理中に手を加える必要がなく、かつ、経験や熟練した技術を必要とするなく、誰でも簡単に丁度良いゆで具合のポーチドエッグを調理することができる。
【符号の説明】
【００６８】
１  外側容器
２  本体部
２ａ  底面
２ｂ  側面
２ｃ  上部開口縁
２ｄ  高台
３  把手部
４  内側容器
４ａ  係合部
４ｂ  懸垂部
４ｃ  エッグポケット部
５  把手部
６  蓋
６ａ  蓋の把手
１０  ポーチドエッグ用電子レンジ調理容器
１１  たまご
１１ａ  黄身
１１ｂ  白身
【図１】
2011245130.tif 000003
【図２】
2011245130.tif 000004
【図３】
2011245130.tif 000005
【図４】
2011245130.tif 000006
【図５】
2011245130.tif 000007
【図６】
2011245130.tif 000008
【図７】
2011245130.tif 000009